【事件の表示】
　平成　７年特許願第３１５０６１号「液晶表示装置」拒絶査定に対する審判事件［平成　９年　６月２０日出願公開、特開平　９−１６０００２］について、次のとおり審決する。
【結　論】
　本件審判の請求は、成り立たない。
【理　由】
１．手続の経緯・本願発明
　本願は平成７年１２月４日の出願であって、その請求項１に係る発明は、平成１２年３月１７日付けで提出された手続補正書により補正された明細書及び図面の記載からみて、その特許請求の請求項１の記載から、次のとおりのものと認められる。
　「複数のスイッチング素子、複数の画素電極および配線電極群からなるマトリックス状の画像表示領域を有するアレイ基板と、共通電極を有する対向基板とを所定の隙間を保持して配置し、かつその隙間内に液晶組成物を充填することにより構成し、前記アレイ基板上で、かつ前記画像表示領域の外側に前記対向基板の共通電極に電気的に接続される不透明な遮光部を具備する液晶表示装置。」
　ただし、請求項１の記載において、「・・・・共通電極を有する共通電極を有する対向基板とを・・・・」とあるのは、「・・・・共通電極を有する対向基板とを・・・・」の誤記であるのは明らかであるので、上記のように認定した。
２．引用刊行物に記載された発明
　原査定の拒絶の理由に引用された、本願出願前に頒布された刊行物である特開昭６３−２７４９３０号公報及び特開平４−８０７２１号公報には、それぞれ次のように記載されている。
特開昭６３−２７４９３０号公報（以下、引用例ａという）
　「本発明のアクティブマトリクス液晶パネルは、
　（ｉ）　一方の基板にアクティブ素子を形成した液晶パネルの画素領域の外周に、該アクティブ素子を形成する工程の中の工程を用い、見切りを形成したことを特徴とする。
　（ｉｉ）　前記見切りは、少なくとも２画素巾以上の巾を有し、見切り内は、７０％以上の部分に不透明膜が形成されている事を特徴とする。
〔作用〕
　本発明の上記の構成によれば、第１図に示す様に、本発明の見切り１１と画素領域１２との間隙から光洩れが生ずる事なく画像や文字が非常に見易くなった。
〔実施例〕
　第２図は、本発明の一実施例で、アクティブ素子としてタンタル（Ｔａ）２１，五酸化タンタル（Ｔａ２０５）、クロム（Ｃｒ）２３によるＭＩＭ素子２４を用いている。画素領域の外側には、タンタルパターンで見切り２７が上下、左右方向に形成されている。端子２５への引き出し線のある辺（この例では、左右辺）、は、引き出し線と見切りを接続して静電対策用の入力容量（画素内の素子を静電気から保護する。）２６を形成している。画素の周囲４辺をタンタルで囲む為、ラビング時等の静電気破壊の防止に役立つ。
　第５図は本発明の別の実施例で、画素領域１２の外側は、タンタル、又は、クロム等の不透明金属で見切りが形成されている。又この見切部分の金属部分の電位を、外部から与えられる様に見切り用端子５１がとり出されている。見切部分がフローティングの状態だと静電気等で外部から電荷が注入された時、見切り周辺が点灯してしまうので、見切部分の電位をとっておく必要がある。端子２５への引き出し線の途中に、入力容量２６が形成されているが、この容量２６の対抗基板側には静電対策ライン５２を設け充分な静電気破壊防止に効果のある構造としている。」（第２頁左上欄第２行〜右上欄第１８行）
　また、第１図には液晶パネル周辺の断面が示され、第２図及び第５図には、画素のＩＴＯ電極２２、アクティブ素子、画素領域の外側に形成された見切り２７を有するアクティブガラス基板２８と対向ガラス基板２９とを備えるアクティブマトリクス液晶パネルの構成が示されている。
　以上の記載からすれば、引用例ａには、「アクティブ素子、画素電極を含んで形成される画素領域を有するアクティブガラス基板と、対向ガラス基板とを備え、画素領域の外側に、端子への引き出し線の途中に入力容量が形成され、入力容量の対抗基板側が静電対策ラインに接続されるようにした、不透明金属の見切りが形成されているアクティブマトリクス液晶パネル」が記載されているものと認められる。
特開平４−８０７２１号公報（以下、引用例ｂという）
　「以上本実施例によれば、電圧が印加される映像信号線４８０と対向する共通透明画素電極４５３との間に発生する直流電圧は、導電層４８０が銀ペースト４３０を介して上部透明ガラス電極基板４００上に形成されている、コモン電圧が印加される共通透明画素電極４５３に接続されているため映像信号線４０１と共通透明画素電極４５３は同電位となりキヤンセルされる。」（第６頁右上欄第３〜１０行）
　「〔発明の効果〕
　映像信号線および走査信号線の電圧が印加される配線上に導電層を設け、共通透明画素電極と接続させることにより、電位差がほぼゼロとすることができ、両者間に生じる直流電圧をキヤンセルでき、劣化の防止、信頼性の向上が図れる。
　上記導電層は遮光性を有し、画素上を覆うように形成されているため、表示画素間の隙間から自然光あるいは蛍光灯等のバックライトからの光が漏れによるコントラストの低下が防止でき、高画質表示ができる。」（第１０頁右下欄第１１〜２０行）
３．対比
　本願の請求項１に係る発明（以下、本願発明という）と引用例ａに記載のものとを対比すると、引用例ａに記載のものにおける「アクティブ素子」、「画素領域」、「アクティブガラス基板」、「対向ガラス基板」、「見切り」、「アクティブマトリクス液晶パネル」は、それぞれ本願発明における「スイッチング素子」、「マトリックス状の画像表示領域」、「アレイ基板」、「対向基板」、「遮光部」、「液晶表示装置」に相当し、また、引用例ａに記載のものにおいて、アクティブガラス基板の画素領域には複数のアクティブ素子、複数の画素電極および配線電極群が形成されること、対向ガラス基板に共通電極が形成されること、アクティブガラス基板と対向ガラス基板とが所定の隙間を保持して配置され、その隙間内に液晶組成物が充填されることは明らかであるので、本願発明と引用例ａに記載のものとは、「複数のスイッチング素子、複数の画素電極および配線電極群からなるマトリックス状の画像表示領域を有するアレイ基板と、共通電極を有する対向基板とを所定の隙間を保持して配置し、かつその隙間内に液晶組成物を充填することにより構成し、前記アレイ基板上で、かつ前記画像表示の外側に不透明な遮光部を具備する液晶表示装置」である点において共通するが、本願発明において、画像表示領域の外側の不透明な遮光部が対向基板の共通電極に電気的に接続されているのに対して、引用例ａに記載のものにおいては、画素領域の外側の不透明金属の見切りは対抗基板の共通電極に電気的に接続されるのではなく、端子への引き出し線の途中に入力容量が形成され、入力容量の対抗基板側が静電対策ラインに接続されている点において相違する。
４．当審の判断　
　そこで、前記相違点について検討する。
　本願発明において遮光部を共通電極に電気的に接続しているのは、画像表示領域の近接した領域を固定電位によってシールドし静電気の突入を防止するためであるが、引用例ａに記載のものも、画素内の素子を静電気から保護するものである点では、課題が共通している。
　一方、引用例ｂに記載のものにおいては、遮光性を有し、画素上を覆うように形成された導電層を、銀ペーストを介して上部透明ガラス電極基板上の共通透明画素電極に接続し、導電層を共通透明画素電極と同一電位にすることによって、劣化の防止、信頼性の向上を図っているが、この遮光性を有する導電層は、引用例ａに記載のものにおける不透明金属の見切りと同様に、不要の光を遮るために画素電極を有する基板の側に設けられ、また、静電対策を必要とするという電気的性質を有するものである。
　そうすると、引用例ａに記載のものにおいて、不透明金属の見切りに対する静電対策として、引用例ｂに記載のものにおける遮光性を有する導電層を、対向する基板の側の共通透明画素電極に電気的に接続するという手段を用いることは、当業者が容易に想到し得るところであり、それによる作用効果も自ずと予測される程度のことである。
５．むすび
　したがって、本願発明は、引用例ａ及び引用例ｂに各々記載された発明に基づいて当業者が容易に発明をすることができたものであり、特許法第２９条第２項の規定により特許を受けることができない。
　よって、結論のとおり審決する。